(57)【特許請求の範囲】
【請求項１】
表示装置と表示制御装置とレーザ出射装置とＩＣカードとからなる表示システムにおいて、
表示装置が、
表示画面に情報を表示する表示部と、前記表示部の表示画面の近傍に、表示画面に照射されたレーザ光を検出するための複数の光センサを配置したレーザ検出部とを備え、
レーザ出射装置が、
表示された情報に対する指示を入力する指示入力部と、入力された指示に対応する出力情報を含むレーザ光を出力するレーザ出力部とを備え、
表示制御装置が、
レーザ光を検出した光センサの位置からレーザ光が照射された表示画面の位置を算出する位置算出部と、前記光センサが検出したレーザ光に含まれる出力情報を取得する受信情報取得部と、前記位置算出部によって算出された位置と、前記取得された出力情報とに基づいて、前記表示部に表示される情報の表示を制御する表示制御部と、利用可能な者を特定する利用者情報を予め記憶した記憶部と、前記受信情報取得部によって取得された出力情報と、前記予め記憶された利用者情報とを比較することにより、利用者の認証を行う認証部とを備え、
前記ＩＣカードが、利用者を特定する識別情報ＲＩＤを予め記憶し、
前記レーザ光に含まれる出力情報に、ＩＣカードから読み出された識別情報ＲＩＤを含み、
前記レーザ出射装置が、前記ＩＣカードと通信を行うことにより、ＩＣカードに記憶された前記識別情報ＲＩＤを読み出す通信部と、そのレーザ出射装置が利用者に保持されたか否かを検出する保持検出部とをさらに備え、前記保持検出部が保持されていない状態から保持された状態に変化したことを検出した場合、前記通信部が、前記ＩＣカードに記憶された利用者を特定する識別情報ＲＩＤの送信要求をＩＣカードへ送信することを特徴とする表示システム。
【請求項２】
前記指示入力部が複数の押下キーからなり、
前記レーザ光に含まれる出力情報が、各押下キーに対応づけられた機能に相当する指示情報をさらに含み、
前記いずれかの押下キーが押下げられたとき、前記レーザ出力部は、その押下キーに対応づけられた指示情報を含むレーザ光を出力することを特徴とする請求項１の表示システム。
【請求項３】
前記レーザ光に含まれる指示情報が、所望の点画像を表示画面に追加するためのペンモード切替指示情報であり、
前記受信情報取得部が、前記指示情報を含むレーザ光からペンモード切替指示情報を取得した場合に、前記表示制御部は、前記表示部の表示画面に照射されたレーザ光の照射位置に点画像を表示させることを特徴とする請求項２の表示システム。
【請求項４】
前記レーザ光に含まれる指示情報が、追加された点画像を消去するためのペンモード解除指示情報である場合、前記表示制御部は、表示画面に追加された点画像を消去することを特徴とする請求項３の表示システム。
【請求項５】
前記レーザ出射装置が、振動素子をさらに備え、
前記ＩＣカードとの通信により、ＩＣカードに記憶された識別情報ＲＩＤが取得できなかった場合、前記振動素子を振動させることを特徴とする請求項１乃至４のいずれかの表示システム。
【請求項６】
前記表示部に、１または複数の操作対象物に対応づけられたアイコンを表示している状態で、前記レーザ出力部からレーザ光が特定のアイコンに向けて照射された場合、
前記特定のアイコンの表示領域と対応する位置に配置された光センサによってレーザ光が検出された後、前記位置算出部によって算出された光センサの位置からレーザ光が照射されたアイコンに対応する操作対象物を認識し、
前記受信情報取得部によって取得された出力情報からその操作対象物に対する指示内容を認識し、前記表示制御部が、前記認識された操作対象物に対して、前記認識された指示内容に基づく表示制御を行うことを特徴とする請求項１乃至５のいずれかの表示システム。
【請求項７】
前記操作対象物が、情報が記憶されたファイル，デバイス，あるいはアプリケーションプログラムのいずれかであることを特徴とする請求項６の表示システム。
【請求項８】
前記ＩＣカードが、前記通信部と無線通信を行う非接触タイプのカードであることを特徴とする請求項１乃至７のいずれかの表示システム。
【発明の詳細な説明】
【技術分野】
【０００１】
この発明は、表示システムに関し、特に、表示画面上の位置の指示と認証情報等の情報入力とが可能な表示システムに関する。
【背景技術】
【０００２】
従来、多人数の出席者のもとで行う会議やプレゼンテーション等では、資料の説明のためにＯＨＰ（オーバヘッドプロジェクタ）を利用したり、パソコン等に保存されたファイルをプロジェクタを介してスクリーン上に投影することが行われている。
また、スクリーン上に表示された資料についてより効果的な指示や説明ができるようにするために、説明資料を投影したスクリーンに、レーザ光を感知するセンサをマトリクス状に設置し、レーザポインタから放射されたレーザ光が当たったスクリーン上の座標位置を、センサによって検出する画像表示装置が提案されている（特許文献１参照）。
【特許文献１】特開平４−３７１０６３号公報
【発明の開示】
【発明が解決しようとする課題】
【０００３】
上記のような画像表示装置やプロジェクタを利用する会議では、資料を投影するスクリーンは大画面で、画像表示装置等は説明者の位置とは離れたところに設置されることが多い。
上記特許文献１に記載のものでは、説明者がレーザポインタから放射されたレーザ光によって、スクリーン上の特定の位置をポイントすることにより、ポイントされた位置の座標が検出され、そのポイント位置に矢印のシンボルＭが表示されるので、説明者が説明しようとする箇所を効果的に指示することができる。
【０００４】
しかし、説明資料が複数枚ある場合、次の資料を表示させるために、スクリーンとは別のパソコン等の画面を見ながらマウス等を使ってページを切り替える操作をすることが必要である。
また、次の資料がパソコン上の別のファイルとして保存されている場合、そのファイルを検索等してパソコン上で開く操作をする必要がある場合もある。
【０００５】
さらに、今日では、ファイルの不正アクセスなどを防止する観点から、そのファイルのアクセス可能な者を特定し、たとえばファイルごとにパスワード等を設けて、正しいパスワードを入力した場合のみそのファイルを読み出したり、書き換えたりできるようにするための認証処理が行われる。認証処理では、一般的に、説明者が、パスワードの入力の他に、個人を特定するＩＤコードを入力するなどの特別の入力操作が必要となる。
【０００６】
しかし、会議やプレゼンテーションにおいて、別のファイルを読み出す際に、このような認証処理をその都度行っていたのでは、スピーディーな会議の進行ができない。
また、プレゼンテーションの円滑な進行のためには、スクリーン上に表示させる説明資料についてセキュリティがかけられた多数のファイルをすぐに読み出せるようにする必要があるが、パスワードによる認証が不要となるようなセキュリティ解除処理を予めしておくなど、説明者は事前に特別な準備作業をすることが必要となる。
【０００７】
また、スクリーン上に表示された説明資料について、説明をしているときに、資料の中の重要項目を強調したり、新たな書き込みをしようとする場合、レーザポインタを用いたスクリーンに対する指示操作とは別に、パソコン等に表示された同じ説明資料の画面に対して、マウスやキーボード等を用いて強調や書込み処理をする必要があった。
したがって、会議やプレゼンテーションにおいて、スクリーンに対する指示操作の他に、新たなファイルを開くための認証操作や、説明のための特別な入力操作が必要となる場合があり、説明者の操作負担が大きく、プレゼンテーションの円滑な進行に支障をきたす場合があった。
【０００８】
そこで、この発明は、以上のような事情を考慮してなされたものであり、説明者がレーザポインタを用いて指示入力をするだけで、スクリーン上の表示位置の指示と、認証処理等のための情報入力とが可能な表示システムを提供することを課題とする。
【課題を解決するための手段】
【０００９】
この発明は、表示装置と表示制御装置と光出射装置とからなる表示システムにおいて、表示装置が、表示画面に情報を表示する表示部と、前記表示部の表示画面の近傍に、表示画面に照射されたレーザ光を検出するための複数の光センサを配置したレーザ検出部とを備え、レーザ出射装置が、表示された情報に対する指示を入力する指示入力部と、入力された指示に対応する出力情報を含むレーザ光を出力するレーザ出力部とを備え、表示制御装置が、レーザ光を検出した光センサの位置からレーザ光が照射された表示画面の位置を算出する位置算出部と、前記光センサが検出したレーザ光に含まれる出力情報を取得する受信情報取得部と、前記位置算出部によって算出された位置と、前記取得された出力情報とに基づいて、前記表示部に表示される情報の表示を制御する表示制御部とを備えたことを特徴とする表示システムを提供するものである。
【００１０】
これによれば、表示画面に照射されるレーザ光に出力情報を含めて出力しているので、利用者は、表示画面を見たままの状態で、レーザ光を照射するレーザ出射装置を操作するだけで容易に表示情報に対する表示制御をすることができ、レーザ光の照射操作とは別に表示制御のための操作をするシステムよりも利用者の操作負担を軽減でき、会議等における利用者の操作性を向上でき、会議等をスムーズに進行することができる。
【００１１】
また、この発明は、前記レーザ光に含まれる出力情報が、利用者を特定する識別情報であり、前記表示制御装置が、利用可能な者を特定する利用者情報を予め記憶した記憶部と、前記受信情報取得部によって取得された出力情報と、前記予め記憶された利用者情報とを比較することにより、利用者の認証を行う認証部とを、さらに備えたことを特徴とする表示システムを提供する。
これによれば、レーザ光に利用者を特定する識別情報を含めているので、利用者が利用を許可された者であるかを確かめるために、特別な操作を伴う認証処理を別に行うことなく、利用者はレーザ光を照射するレーザ出射装置を操作するだけで、利用者の認証処理を容易かつ迅速に行うことができる。
【００１２】
また、前記指示入力部が複数の押下キーからなり、前記レーザ光に含まれる出力情報が、各押下キーに対応づけられた機能に相当する指示情報であり、前記いずれかの押下キーが押下げられたとき、前記レーザ出力部は、その押下キーに対応づけられた指示情報を含むレーザ光を出力することを特徴とする。
これによれば、レーザ光に、押下キーに対応づけられた機能に相当する指示情報を含ませて出力するので、表示画面を見たままの状態で、レーザ光の照射とレーザ出射装置に備えられた押下キーの操作をするだけでよく、利用者の操作負担を軽減することができる。
【００１３】
また、利用者を特定する識別情報ＲＩＤを予め記憶したＩＣカードをさらに備え、前記レーザ出射装置が、前記ＩＣカードと通信を行うことにより、ＩＣカードに記憶された前記識別情報ＲＩＤを読み出す通信部を備え、前記レーザ光に含まれる出力情報に、ＩＣカードから読み出された識別情報ＲＩＤが用いられることを特徴とする。
これによれば、レーザ出射装置に予め識別情報を記憶させる必要はなく、この発明のシステムの利用許可を受けた利用者であれば、ＩＣカードを持参し、ＩＣカードと通信部の間で所定の通信を行わせることにより、容易にこの発明の表示システムを利用できる。
【００１４】
ここで、前記ＩＣカードとして、前記通信部と無線通信を行う非接触タイプのカードを利用してもよい。
これによれば、無線通信により、識別情報をＩＣカードからレーザ出射装置へ送信するので、ＩＣカードをレーザ出射装置に接近させるだけで、より容易かつ迅速に、この発明の表示システムが利用可能となる。
また、セキュリティ上重要な識別情報をレーザ出射装置に予め記憶しないので、レーザ出射装置の紛失や盗難があっても十分なセキュリティを確保でき、利用者は自らのＩＣカードの管理を十分にするだけで、セキュリティを向上できる。
【００１５】
また、この発明は、前記出力情報が、利用者を特定する識別情報と、前記指示入力部によって入力された指示内容に相当する指示情報とを含み、前記表示制御装置が、利用可能な者を特定する利用者情報を予め記憶した記憶部と、前記受信情報取得部によって取得された出力情報のうち、利用者を特定する識別情報と、前記予め記憶された利用者情報とを比較することにより、利用者の認証を行う認証部とをさらに備え、前記表示制御部が、前記位置算出部によって算出された位置と、前記取得された出力情報のうち指示情報とに基づいて表示部に表示される情報の表示を制御することを特徴とする表示システムを提供するものである。
【００１６】
これによれば、レーザ光に識別情報と指示情報とを含ませているので、利用者は、表示画面を見たままの状態でレーザ光の照射操作をするだけで、認証処理と、指示情報に基づく表示制御処理とを、容易かつ迅速にすることができる。
また、不特定多数の守秘義務のない者が参加する会議等において、参加者に見せる情報のセキュリティを十分に確認した上で、会議やプレゼンテーションの進行をスムーズにすることができる。
【００１７】
また、前記表示部に、１または複数の操作対象物に対応づけられたアイコンを表示している状態で、前記レーザ出力部からレーザ光が特定のアイコンに向けて照射された場合、前記特定のアイコンの表示領域と対応する位置に配置された光センサによってレーザ光が検出された後、前記位置算出部によって算出された光センサの位置からレーザ光が照射されたアイコンに対応する操作対象物を認識し、前記受信情報取得部によって取得された出力情報からその操作対象物に対する指示内容を認識し、前記表示制御部が、前記認識された操作対象物に対して、前記認識された指示内容に基づく表示制御を行うことを特徴とする表示システムを提供するものである。
【００１８】
ここで、前記操作対象物とは、たとえば情報が記憶されたファイル，デバイス，あるいはアプリケーションプログラムのいずれかを意味する。ただしこれらに限られるものではない。
これによれば、利用者は、表示画面の特定の位置へのレーザ光の照射操作をするだけで、表示されたアイコンに対応づけられた操作対象物に対する表示制御を、容易にすることができる。
【００１９】
また、前記レーザ光に含まれる指示情報が、所望の点画像を表示画面に追加するためのペンモード切替指示情報であり、前記受信情報取得部が、前記指示情報を含むレーザ光からペンモード切替指示情報を取得した場合に、前記表示制御部は、前記表示部の表示画面に照射されたレーザ光の照射位置に点画像を表示させることを特徴とする表示システムを提供するものである。
さらに、前記レーザ光に含まれる指示情報が、追加された点画像を消去するためのペンモード解除指示情報である場合、前記表示制御部は、表示画面に追加された点画像を消去することを特徴とする。
これによれば、利用者は、表示画面を見たままの状態で、レーザ出射装置を用いた操作をするだけで、容易に表示画面に対する追加点画像の表示あるいは表示解除をさせることができる。
【００２０】
また、この発明は、前記レーザ出射装置が、そのレーザ出射装置が利用者に保持されたか否かを検出する保持検出部をさらに備え、保持検出部が保持されていない状態から保持された状態に変化したことを検出した場合、前記通信部が、前記ＩＣカードに記憶された利用者を特定する識別情報ＲＩＤの送信要求をＩＣカードへ送信することを特徴とする。
これにより、ＩＣカードの識別情報ＲＩＤをより確実に取得することができるようになり、誤った識別情報ＲＩＤが取得されるのを防止することにより、利用者の参照できないファイルの表示がされてしまうことを防止できる。
【００２１】
さらに、前記レーザ出射装置が、さらに振動素子を備え、前記ＩＣカードとの通信により、ＩＣカードに記憶された識別情報ＲＩＤが取得できなかった場合、前記振動素子を振動させることを特徴とする。
これにより、ＩＣカードの識別情報ＲＩＤが取得されていないことを、利用者以外の者に知らせることなく、レーザ出射装置の利用者のみに知らせることが可能となる。
【発明の効果】
【００２２】
この発明によれば、表示画面に照射されるレーザ光に出力情報を含めて出力しているので、利用者は、表示画面を見たままの状態で、レーザ光を照射するレーザ出射装置を操作するだけで容易に表示情報に対する表示制御をすることができ、レーザ光の照射操作とは別に表示制御のための操作をするシステムよりも、利用者の操作負担を軽減でき、会議等における利用者の操作性を向上でき、会議等をスムーズに進行することができる。
【発明を実施するための最良の形態】
【００２３】
以下、図面を使用して本発明の実施の形態を説明する。なお、以下の実施例の記載によって、この発明が限定されるものではない。
＜この発明の表示システムの構成＞
図１に、この発明の表示システムの構成ブロック図を示す。
この発明の表示システムは、主として、表示装置１と、表示制御装置２と、光出射装置４と、ＩＣカード５とから構成される。
表示装置１は、情報を表示する表示部１１を備え、たとえば、ＬＣＤ，ＰＤＰなどを用いることができる。また、スライドやプロジェクタから発せられた光の映像を投影するスクリーンを用いることもできる。表示される情報としては、たとえば、会議やプレゼンテーションで用いられる説明資料（文書，図面，グラフなど）である。また、表示装置１は、情報を表示する表示部１１の他に、レーザ検出部１２を備える。
【００２４】
レーザ検出部１２は、光出射装置４から出射されたレーザ光７を受光するセンサモジュールであり、レーザ光を電気信号に変換する光センサをマトリクス状に多数配置したものである。センサモジュール１２は、表示部１１の表示画面に近接して、平行に設けられる。
表示画面にレーザ光７が照射されると、レーザ光が当たった画面位置に対応して配置された光センサによって、レーザ光７が検出される。そして、レーザ光７が検出された光センサの位置を認識することにより、レーザ光が照射された表示画面上の座標（Ｘ座標，Ｙ座標）が、後述する位置算出部２３によって算出される。
【００２５】
表示部１１がたとえばＬＣＤの場合、液晶層と、バックライト板との間に、センサモジュール１２が設けられる。センサモジュール１２は、Ｘ−Ｙ座標平面上でマトリクス状に一定間隔で配置された複数の光センサから構成される。各光センサのＸ−Ｙ座標平面上での位置は、レーザ光が照射されたときに発生するＸ座標を特定する電気信号Ｓｘと、Ｙ座標を特定する電気信号Ｓｙとから算出される。また、表示部１１にＬＣＤが用いられる場合は、バックライトからの光が、直接光センサに入射しないように、光センサとバックライトの間に微小な遮光層が形成される。
表示部１１がスクリーンの場合は、そのスクリーン表面上にセンサモジュール１２が設けられる。
【００２６】
図１において、表示制御装置２は、主として、表示制御部２１，出力情報生成部２２，位置算出部２３，受信情報取得部２４，認証部２５，ファイル検索部２６，アプリ実行部２７，記憶部３０とから構成される。
表示制御装置２は、主としてＣＰＵ，ＲＯＭ，ＲＡＭ，Ｉ／Ｏコントローラ，タイマー，グラフィックコントローラ（ＬＳＩ）等からなるマイクロコンピュータにより実現され、ＲＯＭ等に記憶された制御プログラムに基づいて、ＣＰＵが各種ハードウェアを動作させることにより、表示制御装置２の種々の機能が実現される。
【００２７】
表示制御部２１は、表示させる情報を表示部１１に出力する部分である。
出力情報生成部２２は、表示部１１に表示させる情報を生成する部分であり、たとえば、記憶部３０に予め記憶されていたファイル情報３１を読み出して、表示部１１に表示できる形式のデータに変換し、その変換後のデータを表示制御部２１に引き渡す部分である。
位置算出部２３は、レーザ検出部（センサモジュール）１２からの電気信号（Ｓｘ，Ｓｙ）を受信して、その電気信号からレーザ光が照射された表示画面上のＸ−Ｙ座標を算出する部分である。
【００２８】
受信情報取得部２４は、光センサによって受信したレーザ光７に含まれる情報を抽出する部分である。たとえば、レーザ出力部４１から出射されたレーザ光７に、利用者を特定する識別情報（ＲＩＤ）４７が重畳されている場合、その重畳された部分の受光したレーザ光の振幅や周波数の変化あるいはＯＮとＯＦＦの変化の数やタイミングを検出することにより、識別情報（ＲＩＤ）４７を抽出する。
【００２９】
レーザ光７に含まれる情報には、識別情報（ＲＩＤ）４７の他に、メニュー表示指示，ファイル選択指示，アプリケーションの実行指示，スクロール指示，ペン入力指示などの各種指示入力の情報が含まれる。
このような指示入力は、後述するように、光出射装置４に付属された特定の機能キーを押下げることにより行うことができる。
受信情報取得部２４により取得された情報は、受信情報３６として、記憶部３０に記憶される。
【００３０】
認証部２５は、この表示システムを利用する者が正当な権限を有するか否かをチェックする部分である。たとえば、レーザ検出部１２によって受信された受信情報３６のうちの識別情報ＲＩＤ４７と、記憶部３０に予め記憶されている利用者情報ＭＩＤ３４とが一致するか否かをチェックする部分である。一致した場合は、認証が成功したとみなされ、その後の処理（たとえば、ファイル選択処理）が実行される。
【００３１】
また、認証部２５は、後述するように、ファイルごとに付与された認証情報ＦＩＤ３５と受信した識別情報ＲＩＤ４７とが一致するか否かをチェックする。
ファイル検索部２６は、記憶部３０に予め記憶されているファイル情報３１の中から、選択されたファイルを読み出す部分である。
アプリ実行部２７は、選択されたアプリケーションプログラムを起動させる部分である。
たとえば、ファイル検索部２６によって読み出されたファイルに対して、そのファイルに関係づけられたアプリケーションプログラムを起動させ、そのアプリケーションプログラムが読み出されたファイルを開き、そのファイルの内容を表示部１１に表示させるような動作をする。
【００３２】
記憶部３０は、ハードディスク，不揮発性の半導体記録素子や記憶媒体等であり、この表示システムで利用される種々の情報を記憶しておく部分である。
記憶部３０には、たとえば、ファイル情報３１，表示データ３２，アプリケーションプログラム３３，利用者情報ＭＩＤ３４，認証情報ＦＩＤ３５，受信情報３６などが記憶される。
ファイル情報３１は、たとえばプレゼンテーション等の説明資料であり、文書，図面，グラフ，静止画像，動画などである。
【００３３】
表示データ３２は、表示部１１に表示されるべきデータであり、たとえば、表示されるファイルを選択するためのメニュー一覧データ（ファイル一覧リスト）などが含まれる。
アプリケーションプログラム３３は、たとえば、文書作成プログラムや、画像編集および再生プログラムなどを意味する。
利用者情報ＭＩＤ３４は、この発明の表示システムを利用可能な者を特定する情報を意味し、認証部２５で比較される一方の認証情報に相当する。たとえば、この発明の表示システムを所有する会社あるいは管理する部署の所属員のＩＤコードや、氏名等の個人情報が、利用者情報ＭＩＤ３４に相当する。
【００３４】
認証情報ＦＩＤ３５は、個々のファイルごとに付与された情報であり、たとえば、そのファイルをアクセスすることが可能な者を特定する情報を意味する。
また、認証情報ＦＩＤ３５は、認証部２５が利用しようとするファイルの認証処理を行うときに比較される一方の情報であり、たとえば、ファイルの作成者を特定する情報や、そのファイルの読み出しが許可された者を特定する情報である。
【００３５】
受信情報３６は、受信情報取得部２４によって取得された情報であり、レーザ検出部１２によって検出されたレーザ光に含まれていた情報である。
たとえば、上記したように識別情報ＲＩＤ４７は受信情報３６の一つであり、認証部２５によって比較される一方の情報である。
以上のような表示制御装置２の各機能ブロックの機能は、主としてＣＰＵが、ＲＯＭ等に予め記憶された制御プログラムに基づいて、各ハードウェアを有機的に動作させることにより実現される。
【００３６】
光出射装置（レーザポインタ）４は、レーザ光７を出力する部分である。
利用者は、レーザポインタ４から出力されるレーザ光７を表示部１１に向けて照射させレーザ光７が当たった表示画面上のスポットによって、表示部１１に表示されている情報のうち特定の部分を指し示す。
レーザ光７のスポットによって示される位置にある光センサによって、レーザ光７が検出され、その位置を特定するＸ座標及びＹ座標の電気信号によって、利用者が指し示した位置が算出される。
【００３７】
レーザポインタ４は、主として、レーザ出力部４１，情報合成部４２，指示入力部４３，メモリ部４６，情報抽出部４４，通信部４５から構成される。これらの機能ブロックは、主として、ＣＰＵ，ＲＯＭ，ＲＡＭ，Ｉ／Ｏコントローラ，通信ＬＳＩ，タイマーなどを有するマイクロコンピュータにより実現される。
レーザ出力部４１は、レーザ光７を出射する部分であり、たとえばレーザダイオードが用いられる。
レーザ光７は、たとえば波長６５０ｎｍあるいは５３２ｎｍの光であり、情報合成部４２で合成された情報を含ませるために、レーザ光は出射する際にレーザ出力部４１によって変調される。
情報合成部４２は、レーザ光に含ませる出力情報を合成し、その出力情報に対応した変調光が出力されるように、レーザ出力部４１に出力指示信号を与える部分である。合成される出力情報には、指示入力部４３によって入力された指示に対応する指示情報４８や、メモリ部４６に記憶された識別情報ＲＩＤ４７が含まれる。
【００３８】
指示入力部４３は、表示制御装置２に与える指示を入力する部分であり、レーザポインタ４に設けられた機能キーに相当する。レーザポインタ４には、レーザ光の出力キー、ファイルなどのメニュー一覧表示キー，スクロールキーなどの複数の機能キーが設けられる（図６参照）。
たとえば、レーザ光の出力キーが押下げられると、指示入力部４３がどのキーが押されたかを認識し、情報合成部４２に対して、レーザ光を出力するための要求信号が伝えられる。
レーザ光の出力要求信号が与えられた情報合成部４２は、メモリ部４６に記憶された識別情報ＲＩＤ４７を読み出し、出力されるレーザ光７に、識別情報ＲＩＤ４７を合成するように出力指示信号を生成し、レーザ出力部４１に与える。レーザ出力部４１は、出力指示信号に基づいて、識別情報ＲＩＤ４７を含めたような変調されたレーザ光７を出力する。
【００３９】
また、スクロールキーが押下げられた場合は、スクロールキーが押されたことを示す信号が情報合成部４２に与えられ、情報合成部４２は、スクロールキーに対応する指示情報４８をメモリ部４６から読み出して、読み出された指示情報４８をレーザ光７に合成するような出力指示信号を生成し、レーザ出力部４１に与える。
【００４０】
メモリ部４６は、レーザポインタ４で利用する情報を記憶する部分であり、主として、識別情報ＲＩＤ４７と指示情報４８とを記憶する。
識別情報ＲＩＤ４７は、ＩＣカード５に予め記憶されている固有の情報であり、ＩＣカード５との通信によってＩＣカード５から取得される情報である。
【００４１】
指示情報４８は、レーザ光７に含められて表示制御装置２に送信される情報であり、指示入力部４３から入力される指示に対応する情報である。
たとえば、レーザポインタ４に設けられる機能キーが７つあったとすると、各機能キーが押されたときに入力される指示にそれぞれ対応する７つの情報が指示情報４８である。
指示情報４８としては、たとえば、レーザ光出力指示，メニュー一覧表示指示，上方向スクロール指示，下方向スクロール指示，黒色ペンモード切替指示，赤色ペンモード切替指示，ペンモード解除（消去モード）指示，アプリ実行指示などがある。
【００４２】
ここで、レーザ光出力指示とは、レーザ光に情報を含めずに、単にレーザ光７を出力する指示を意味し、レーザ光７の出力開始および出力停止のための指示情報である。
利用者が特定の機能キーを押下げ、レーザ光の出力開始を意味する出力指示がレーザ出力部４１に与えられると、レーザ出力部４１から、情報を含まないレーザ光７が出力させられる。
【００４３】
あるいは、レーザ光の出力停止状態のときに、レーザ光７の出力開始を意味する出力指示をレーザ出力部４１に与える場合は、メモリ部４６に記憶された識別情報ＲＩＤ４７を読み出して、出力指示に加えてこの識別情報ＲＩＤ４７を含めたレーザ光７を出力するような出力指示信号をレーザ出力部４１に与えてもよい。この場合には、表示制御装置２が最初にレーザ光７を受光した際に、レーザ光に含まれている識別情報ＲＩＤ４７を用いた認証処理が実行される。
【００４４】
また、レーザ光７の出力開始後は、停止指示があるまでレーザ光を常時出力するものとすると、レーザ光７は、表示部１１に表示された資料の特定の個所を指し示すのに用いられる。
また、レーザ光の出力停止を示す指示情報がレーザ出力部４１に与えられると、レーザ光７の出力を停止する。レーザ光の出力の開始と停止は、同じレーザ光出力キーの押下を行うたびに交互に切替えればよい。
【００４５】
また、レーザ光７を常時出力するのではなく、特定のキーを押下げた後の数秒間あるいはキーを押下げている間だけレーザ光７を出力し、キーを離したときに出力を停止するようにした場合は、レーザ光の出力指示以外の指示（たとえば、メニュー一覧表示指示）を意味するキー入力だけがあった場合でも、その指示情報４８を含めたレーザ光を出射するようにする。すなわち、レーザ光出力キーを押下げなくても、他のそれぞれの機能キーを押下げただけで、レーザ光を出射するようにレーザダイオード４１を制御する。
また、すでにレーザ光が出射されている状態で、特定の機能キーを押下げた場合は、その機能キーに対応する指示情報を含めたレーザ光を一定時間出力するようにすればよい。
【００４６】
通信部４５は、ＩＣカード５と通信する部分である。
ＩＣカード５は、レーザポインタ４に挿入して通信する接触タイプのカードでもよいが、ユーザの利便性を高めるために、非接触タイプのカードを用いることが好ましい。
非接触タイプのＩＣカードを用いる場合は、通信部４５とＩＣカード５との通信は、Bluetoothなどの近距離無線通信で行われる。
【００４７】
情報抽出部４４は、通信部４５によって受信された無線信号から情報を抽出してメモリ部４６に記憶する部分である。
たとえば、通信部４５がＩＣカード５に記憶されていた識別情報ＲＩＤを受信した場合、受信した識別情報ＲＩＤ４７をメモリ部４６に記憶する。
【００４８】
ＩＣカード５は、カード通信部５１と識別情報ＲＩＤ記憶部５２とを備え、レーザポインタ４の通信部４５と通信を行う。
ＩＣカード５が非接触タイプのカードの場合、カード通信部５１が規定の通信プロトコルにより通信部４５と無線通信６を行い、予め記憶された識別情報ＲＩＤなどを、レーザポインタ４へ送信する。
識別情報ＲＩＤ記憶部５２には、ＩＣカードの所有者を特定する情報が予め記憶される。たとえば、所有者固有のＩＤコード，所有者の氏名、住所、生年月日などが記憶される。
メモリ部４６に記憶される識別情報ＲＩＤ４７は、ＩＣカードの識別情報記憶部５２に予め記憶されていた情報であり、たとえば、カード所有者のＩＤコードを用いることができる。
この識別情報ＲＩＤ４７は、表示制御装置２の記憶部３０に予め記憶されている利用者情報ＭＩＤ３４あるいは認証情報ＦＩＤ３５と比較される情報である。
【００４９】
＜表示システムの利用形態の実施例＞
図２に、この発明の表示システムの利用時における一実施例の概略説明図を示す。
図２において、利用者が自己の識別情報ＲＩＤが記憶されたＩＣカード５をレーザポインタ４に近づけると、無線通信６により、自己の識別情報ＲＩＤ４７がＩＣカード５から読み出され、レーザポインタ４へ送信され、そのメモリ部４６へ記憶される。
この後、レーザポインタ４を表示部１１に向けた状態で利用者がレーザポインタ４の特定の機能キーを押下げると、その機能キーに対応した指示情報４８がレーザ光７に合成され、指示情報４８を含むレーザ光７が表示部１１に向けて出力される。
たとえば、レーザ光７が出力停止状態のときにレーザ光の出力キーを押した場合、識別情報ＲＩＤ４７を含んだレーザ光７が、レーザポインタ４から出力される。
【００５０】
一方、表示装置１は、表示部１１とセンサモジュール１２とが対向配置された構造体であり、表示部１１には、表示制御装置２の表示制御部２１から与えられる表示信号により映像が表示される。
マトリクス状に配置された多数の光センサからなるセンサモジュール１２は表示画面のすぐ近傍に設けられ、表示画面に向かって照射されたレーザ光７を検出する。
レーザ光７が当たった位置の光センサから電気信号（Ｓｘ，Ｓｙ）が出力され、位置算出部２３と受信情報取得部２４に与えられる。レーザ光７に指示情報４８が含まれている場合は、出力された電気信号にその指示情報成分が含まれる。
電気信号は、光センサの位置を特定するためのＸ軸方向の位置を示す信号ＳｘとＹ軸方向の位置を示す信号Ｓｙとからなる。位置算出部２３がこの２つの信号（Ｓｘ，Ｓｙ）を認識することにより、どの位置の光センサによってレーザ光７が検出されたかがわかる。
【００５１】
また、出力された電気信号に、レーザ光７に含まれていた指示情報４８に対応した信号成分を含む場合は、受信情報取得部２４は、この信号成分の振幅や周波数変化、あるいはＯＮとＯＦＦの繰り返し回数やタイミングを検出することにより、どのような指示情報が受信されたかを認識し、受信情報３６として、記憶部３０に記憶する。
【００５２】
この後、受信した情報３６の内容に基づいて、認証部２５やアプリ実行部２７などによって、利用者が機能キーを押下げたことによる指示入力に対応づけられた処理が実行される。
たとえば、受信した情報が識別情報ＲＩＤ４７の場合、認証部２５によって、受信した識別情報ＲＩＤ４７と記憶部３０に予め記憶されていた利用者情報ＭＩＤ３４との比較が行われる。両情報（ＭＩＤとＲＩＤ）が一致した場合には、レーザポインタ４の利用者は正当な使用権限を持つ者と判断され、利用者の操作により以後の処理が実行される。たとえば、次のようなファイル検索，表示処理が実行される。
【００５３】
表示部１１の画面上に複数のファイルのアイコンが表示されている場合、利用者が、開きたいファイルＦ０１のアイコンに向かってレーザ光７のスポットが当たるようにレーザポインタ４を操作し、さらに、そのファイルＦ０１の内容の表示要求を意味する実行キーを押し下げたとすると、ファイルの表示要求を意味する指示情報４８がレーザ光７に合成され、レーザポインタ４から出力される。
位置算出部２３は、このレーザ光７を検出した光センサの位置を算出すると、その検出位置の画面上に表示されているファイルが何であるかは予めわかっているので、その検出位置がファイルＦ０１の表示位置であることが認識される。また、受信情報取得部２４によって受信された情報がファイルの表示要求を意味する指示情報であると認識されると、レーザポインタで指示された位置がファイルＦ０１であることと合わせて、記憶部３０からファイルＦ０１を検索し、表示させる処理が実行される。
【００５４】
一方、両情報（ＭＩＤとＲＩＤ）が一致しなかった場合は、レーザポインタ４の利用者は正当な使用権限を持つ者でないと判断され、以後の処理は実行されない。たとえばアプリ実行処理のための指示入力操作をしたとしても、その指示入力は受け付けられない。
【００５５】
このように、利用者は、表示画面上に表示された映像を見ながら、レーザポインタ４を操作し、レーザポインタから出力されたレーザ光７を、その映像の中の特定の位置に向けて照射させた後、表示映像を見ている状態でその位置にあるファイルの内容を表示させることを意味する機能キーの押下操作をする。これにより利用者が所望するファイルの内容を表示画面上に表示させることができる。
すなわち、利用者は、映像が表示されている画面とは異なるパソコン上の画面を見て、パソコンでの特別なキー操作をすることなく、表示画面を見たままの状態でレーザポインタによるレーザ光の照射と機能キーの押下という操作をするだけで、容易かつ迅速に所望のファイル表示をさせることができる。
また、機能キーを押下た後に出力されるレーザ光７に、指示情報４８や認証情報４７を含めて出力するので、利用者は映像を見たままの状態で、キー押下以外の特別な操作をすることなく、容易に利用者認証や指示入力を、ほぼ同時にすることができる。
したがって、会議やプレゼンテーションにおける利用者（説明者）の操作負担を軽減でき、会議等を円滑に進めることが可能となる。
【００５６】
＜センサモジュール及び電気信号等の説明＞
図３に、この発明のセンサモジュールの一実施例の説明図を示す。
センサモジュール１２は、光センサＰｘｙをマトリクス状に配置したものである。
図３では、Ｘ軸（横軸）方向にｎ個の光センサを配列し、Ｙ軸（縦軸）方向にｍ個の光センサを配列している。光センサＰｘｙに光が当たると、電気信号（Ｓｘ，Ｓｙ）が生成される。
たとえば、Ｘ座標Ｘｉ，Ｙ座標Ｙｊで示される位置（Ｘｉ，Ｙｊ）にある光センサＰｉｊに、レーザ光７が当たると電気信号（Ｓｘｉ，Ｓｙｊ）が生成される。電気信号は、Ｘ座標信号ＳｘｉとＹ座標信号Ｓｙｉとからなり、位置算出部２３と受信情報取得部２４に出力される。
【００５７】
図４に、表示装置１が液晶表示装置（ＬＣＤ）の場合の概略説明図を示す。
図４は断面図で、ＬＣＤの一部分を示している。
ＬＣＤ１は、主として液晶層９２と、バックライト９４と、光センサ９１と、遮光層９３とから構成される。
ＬＣＤ１の表示画面１３の近傍に液晶層９２が設けられ、液晶層９２とバックライト９４との間に、微小な光センサ９１が配置される。
光センサ９１とバックライト９４との間に、バックライトの光が光センサ９１に受光されないようにするために、遮光層９３を設ける。
【００５８】
レーザ光７は、図４に示すように、図の上方の表示画面外から入射し、液晶層９２を透過して、光センサ９１に受光される。
レーザ光７は、十分な出力があるので、液晶層９２の状態がどのような状態でも、液晶層を透過し、光センサの配置されたセンサモジュールまで到達する。
【００５９】
図５に、図３に示した光センサから出力される電気信号の一実施例の説明図を示す。
ここで、横軸を時間とし、縦軸を電気信号の大きさとする。
図５（ａ）は、受光したレーザ光７に情報が含まれず、変調されていない場合に出力される電気信号を示している。
この場合、一定時間または連続的に、一定振幅のＯＮ状態の電気信号が出力される。利用者が表示画面に表示された映像を単にレーザ光で指し示す場合は、情報を含まないレーザ光が出射され、図５（ａ）のような電気信号（Ｓｘ，Ｓｙ）が検出される。
【００６０】
図５（ｂ）は、受光したレーザ光７に、識別情報ＲＩＤ４７を含む場合の電気信号の一実施例を示している。
この場合、電気信号は、識別情報ＲＩＤ４７に対応したＯＮ状態とＯＦＦ状態の繰り返し信号として検出される。
受信情報取得部２４は、このＯＮ状態とＯＦＦ状態の変化の様子を検出することにより、もとの識別情報ＲＩＤ４７を再生する。
【００６１】
図５（ｃ）は、受光したレーザ光７に、識別情報ＲＩＤ４７と指示情報４８の両方を含む場合を示している。
図５（ｃ）では、ＯＮとＯＦＦの状態変化の前半部分が識別情報ＲＩＤ４７であり、後半部分が指示情報４８の場合を示している。
レーザ光に合成される情報の合成規則、すなわちＯＮ状態とＯＦＦ状態の変化の規則を予め定めておき、その合成規則を表示制御装置に記憶し、記憶された合成規則と、出力された電気信号とを比較することにより、これらの２つの情報（４７，４８）を取り出すことができる。
【００６２】
図５（ｃ）では、２つの情報をレーザ光７に含めた場合の電気信号の例を示したが、これに限るものではない。
３つ以上の情報を含めることもでき、またそれらの情報を含める順序も問わない。
また、前記したように、指示情報４８には複数種類の情報があるが、受信される可能性のあるすべての指示情報について、ＯＮ状態とＯＦＦ状態の変化のパターンを記憶部３０に予め記憶しておき、この変化パターンと、受信した電気信号の変化パターンとを比較することにより、どの指示情報４８が受信されたかを認識することができる。
【００６３】
図６に、この発明のレーザポインタ４に備えられる機能キーの一実施例を示す。
図６では、８つのキー（Ｋ０〜Ｋ７）を示しているが、これに限るものではなく、キーの数，配置，形状などは種々のものが考えられる。
キーＫ０：レーザ光出力キー
キーＫ１：実行キー
キーＫ２：メニューキー（メニュー一覧表示）
キーＫ３：上方向スクロールキー
キーＫ４：下方向スクロールキー
キーＫ５：黒ペン入力モードキー
キーＫ６：赤ペン入力モードキー
キーＫ７：入力消去キー
【００６４】
レーザ光出力キーＫ０は、レーザ光７の出力開始および停止の指示をするためのキーである。レーザ光７をすでに出力している状態でこのキーＫ０を押下げると、レーザ光７の出力を停止させる。また、レーザ光の出力停止状態でこのキーＫ０を押下ると、レーザ光７の出力を開始させる。
ただし、キーＫ１〜Ｋ７を押下げることによりレーザ光の出力開始を兼ねている場合は、レーザ光出力キーＫ０はなくてもよい。また、レーザ光出力開始キーと、レーザ光出力停止キーとを別々に設けてもよい。
キーＫ１は、選択された機能項目の機能を実行させるためのキーである。たとえば、レーザ光７が照射されている表示画面上の位置に、ファイルＦＬ００１が表示されている場合に、キーＫ１を押下げると、その押下操作をそのファイルＦＬ００１を開く指示であると判断し、ファイルＦＬ００１の検索および表示処理を実行させる。
【００６５】
キーＫ２は、利用者が利用できる機能項目（メニュー）を一覧表示させるキーであり、たとえば、一般的によく利用されているマウスの右ボタンに相当するキーである。
たとえば、キーＫ２を押下げると、利用できる機能項目のリストを表示させる。
利用者がキーＫ２を押下げ、機能項目を表示させた状態で、スクロールキー（Ｋ３またはＫ４）を用いて、カーソル表示を移動させ所望の機能項目を選択し、実行キーＫ１を押下げることにより、その選択された機能項目の機能が実行される。
この場合、キーＫ２，キーＫ３，Ｋ４あるいはＫ１を押下げるごとに、それぞれのキーに対応づけられた指示情報４８が、レーザ光７に合成されて出力される。
キーＫ５，Ｋ６およびＫ７は、後述するように、表示画面上の映像に重ねて、レーザ光７を利用して文字や図形等を入力するモードに切替えるときに利用するキーである。
キーＫ５あるいはＫ６が押下げられたとき、ペンモード切替指示情報がレーザ光に合成されて出力され、レーザ光の照射位置に点画像が表示される。
【００６６】
図７に、記憶部３０に記憶される情報の一実施例の説明図を示す。
記憶部３０は、ハードディスクなどの不揮発性の記録装置や記録媒体が用いられる。
ここで、ファイル情報３１は、主として、ファイル名ＦＮ，認証情報ＦＩＤ３５，アプリ名ＡＰＮ，ファイルの内容とから構成される。
認証情報ＦＩＤ３５は、ファイルごとに付与される情報であり、たとえば、そのファイルの作成者のＩＤ番号などである。
アプリ名ＡＰＮは、ファイルごとに付与される情報であり、そのファイルが作成されたアプリケーションプログラムの名前である。
ファイルを開く処理をした場合に、このアプリ名ＡＰＮを手がかりとして、起動するアプリケーションプログラムが選択される。ファイル内容は、そのファイル名ＦＮで特定される実体（文書，画像など）を意味する。
【００６７】
図７において、たとえば、ファイル名ＦＮが「ＦＬ００１」のファイルは、アプリ名ＡＰＮが「ＡＰＲ−ａａａ」のアプリケーションプログラムによって作成され、認証情報ＦＩＤ３５として「ＦＩＤ１１１１」が付与されている。
認証情報ＦＩＤ３５は、そのファイルを開く指示を受信したときに行われる認証処理において、受信した識別情報ＲＩＤ４７と比較される情報である。
また、図７に示すように記憶部３０には、アプリケーションプログラム３３の実体（APR-aaa, APR-bbbなど）も保存される。
あるファイルを開く際には、ＣＰＵが、まずそのファイルに対応づけられたアプリケーションプログラム３３を読み出して主記憶に展開した後、そのアプリケーションプログラムの動作によりそのファイルを読み出して表示等の処理を行う。
【００６８】
図７において、利用者情報ＭＩＤ３４として、「ＩＤ１１１１」が記憶されている場合を示している。この利用者情報ＭＩＤは１つに限られることはなく、この表示システムの利用を許可した者全員の複数の利用者情報ＭＩＤを記憶してもよい。複数の利用者情報ＭＩＤを記憶した場合は、受信した識別情報ＲＩＤ４７が、そのいずれかの利用者情報ＭＩＤ３４と一致すれば、この表示システムのその後の利用を可能とする。
【００６９】
図７において、受信情報３６の例として、識別情報ＲＩＤ４７（ＩＤ１１１１）と、指示情報４８（ＲＱＫ０２）を示している。
この例では、２つの情報を受信した場合を示しており、識別情報ＲＩＤ４７である「ＩＤ１１１１」は、認証処理で利用される。受信した指示情報４８（ＲＱＫ０２）は、指示内容を特定するのに利用される。
【００７０】
図８に、記憶部に予め記録される指示情報の登録データを示す。この登録データと一致する指示情報４８を受信したとき、対応する指示内容の機能を実行する。
図８において、指示情報ＲＱＫ０１は、アプリ実行指示を意味する。たとえば、レーザ光の出力状態で、表示画面に表示されているファイルＦＬ００１のアイコンにレーザ光が照射されている場合に、指示情報４８としてＲＱＫ０１が受信されたとき、レーザ光の照射により指示されているファイルを開く処理を意図する操作を利用者がしたと考え、そのファイルＦＬ００１の検索および表示のために、対応するアプリケーションプログラムの実行をする。キーＫ１が押下げられた場合、この指示情報ＲＱＫ０１に対応する情報が、レーザ光に含められて出力される。
【００７１】
また、ＲＱＫ０２は、メニュー一覧表示指示を意味する。ＲＱＫ０２を受信した場合、表示部に現在利用できる機能項目を一覧表示する。キーＫ２が押下げられた場合、この指示情報ＲＱＫ０２に対応する情報がレーザ光に含められる。
ＲＱＫ０３およびＲＱＫ０４は、表示部に表示されているカーソルの上方向または下方向への移動指示を意味する。たとえば、機能項目を一覧表示させている状態で、キーＫ３が押下げられた場合、指示情報４８としてＲＱＫ０３がレーザポインタ４から送信される。このとき、ＲＱＫ０３が受信されると、一覧表示された機能項目リストについて上方向へのスクロールの指示入力が行われたと判断し、カーソルを１項目分だけ上方向へ移動させる。ＲＱＫ０４を受信したときは、キーＫ４により下方向へのスクロール指示が入力されたと判断し、カーソルを１項目分だけ下方向へ移動させる。
【００７２】
ＲＱＫ０５，０６および０７は、それぞれキーＫ５，Ｋ６およびＫ７が押下げられたときに受信される指示情報４８であり、これらの指示情報が受信されたとき、ペン入力モードにおけるそれぞれのキーに対応づけられた機能を実行する。
図８では、指示情報とキー（Ｋ１〜Ｋ７）に対応した指示内容を示したが、これらのデータは一実施例であり、これに限るものではない。
たとえば、マウスのダブルクリックに相当するようなキーの２度押しや、キーの長押しなどに対応した指示情報を予め定義してもよく、また、利用者がよく利用する機能の指示情報を、キー操作に対応づけて、利用者が定義できるようにしてもよい。
【００７３】
＜この発明の一実施例の操作の概要説明＞
ここでは、プレゼンテーションにおける利用者のファイル操作を、一実施例として説明する。ファイル操作とは、表示画面に表示された複数のファイルのアイコンのうちいずれかを選択して、選択されたファイルの内容を表示画面に表示させる操作を意味する。
図９に、表示部の表示画面に、７つのファイル（プレゼンテーション資料）に対応するアイコン（プレゼン１〜７）を表示した状態を示す。表示するアイコンは、７つに限るものではなく、用意した資料の数（１または複数個）だけ表示すればよい。
この状態において、各アイコンの表示位置は予め決められているものとし、１つのアイコンの表示領域に対応する位置に配置された光センサも予めわかっているものとする。
たとえば、プレゼン５のアイコンの表示領域に対応する位置に光センサが１００個配置されていたとすると、その１００個の光センサのうち、いずれかの光センサがレーザ光を検出した場合、プレゼン５のファイルが、レーザポインタ４で選択されたものとする。
【００７４】
まず、利用者は、図２に示したように、ＩＣカード５を、レーザポインタ４に接近させる。この操作により、ＩＣカード５とレーザポインタ４との間で無線通信６が行われ、ＩＣカード５に記憶されている識別情報ＲＩＤ４７がレーザポインタ４に送信され、そのメモリ部４６に記憶される。
【００７５】
次に、利用者は、レーザポインタ４のレーザ出力部４１を表示画面方向に向け、レーザ光出力キーＫ０を押下げる。
この操作により、指示入力部４３がレーザ光の出力指示がされたと認識すると、情報合成部４２は、メモリ部４６から識別情報ＲＩＤ４７を読み出し、レーザ光７に識別情報ＲＩＤ４７を含めた出力信号をレーザ出力部４１に与える。
その後、レーザ出力部４１から、識別情報ＲＩＤ４７を重畳したようなレーザ光７が出力される。
【００７６】
このようなレーザ光７が表示画面に照射されると、その照射位置の光センサによって検出され、この場合は、図５（ｂ）に示したような電気信号が、レーザ検出部１２から出力される。
受信情報取得部２４は、この電気信号から識別情報ＲＩＤ４７を抽出し、記憶部３０に記憶する。
認証部２５は、抽出された識別情報ＲＩＤ４７と、予め記憶されている利用者情報ＭＩＤ３４とを比較し、認証処理を行う。この認証処理において、両情報（ＲＩＤ，ＭＩＤ）が一致した場合には、利用者認証が成功したと判断し、その後の処理を受け付けるようにする。一方、一致しなかった場合は、その後に指示情報４８を受信したとしても、その指示に対応する処理を実行しないようにする。
【００７７】
利用者認証が成功した後、利用者は表示画面を見たままの状態で、レーザポインタ４を操作して、レーザ光７が所望のファイルのアイコン（たとえば、プレゼン２）に照射するようにし、キーＫ１（実行キー）を押下げる。
キーＫ１を押下げる操作は、利用者がレーザ光が照射された位置に表示されたファイルの内容を表示画面に表示させることを意図する操作である。図９の場合は、プレゼン２のファイルを表示させることを意図する操作である。
この操作により、情報合成部４２は、図８に示す指示情報ＲＱＫ０１（４８）をメモリ部４６から読み出して、レーザ光７に指示情報ＲＱＫ０１（４８）を含める。そして、レーザ出力部４１から、指示情報ＲＱＫ０１（４８）を含んだレーザ光７が出力される。このとき、レーザ光に、指示情報ＲＱＫ０１に加えて、識別情報ＲＩＤ４７を含めてもよい。
【００７８】
このようなレーザ光７が表示画面に照射されると、照射された位置の光センサから電気信号が出力され、位置算出部２３と、受信情報取得部２４に与えられる。位置算出部２３は、出力された電気信号を用いて、電気信号を出力した光センサのＸ座標とＹ座標を算出し、表示画面のどの部分にレーザ光が照射されたかを認識する。
また、光センサの位置とファイルのアイコンの表示領域との位置関係は予めわかっているので、電気信号を出力した光センサの位置が、表示画面上に表示されたファイルのアイコンの表示領域のうち、どの表示領域に含まれるかを認識する。
これにより、利用者がどのファイルを選択指示したかを認識する。
このとき、図１０に示すように、ファイルが選択されたことを利用者に知らせるために、認識したファイルの表示アイコン（プレゼン２）の部分を色を変えて表示したり、点滅表示をしてもよい。
【００７９】
一方、受信情報取得部２４は、電気信号に含まれる指示情報４８（ＲＱＫ０１）を抽出し、その指示情報４８が図８に示した指示内容のうちどれに一致するかを確認する。
ここで、ＲＱＫ０１を受信したと認識したとすると、アプリ実行の指示入力がされたと判断する。
そして、ファイル検索部２６が、レーザ光７の照射位置から認識したファイルを検索し、ファイル情報を読み出す。その後、アプリ実行部２７が読み出されたファイル情報３１の中のアプリ名ＡＰＮに基づいて、対応づけられたアプリケーションプログラムを起動させ、読み出されたファイルを、表示画面に表示させる処理をする。
このような一連の処理により、図１１に示すように、プレゼン２に対応するファイルが、表示画面に表示される。
【００８０】
＜実施例１＞
図１２に、この発明の実施例１の表示制御処理のフローチャートを示す。
このフローチャートは主として、表示制御装置２の動作を示している。
ここでも、図９のような複数のファイルのアイコンの表示をした状態で、利用者がレーザポインタ４でファイルを選択する操作をしたとき、そのファイルを開く処理をする場合について説明する。
まず、ステップＳ１において、表示画面に、図９のようなファイルのアイコン表示を行う。このようなファイルのアイコンの表示は、出力情報生成部２２が、予め表示データ３２として記憶されたアイコン情報を読み出して、表示部１１に表示できる形式の情報を生成し、表示制御部２１が、生成された情報を表示部１１に与えることにより行う。
【００８１】
ステップＳ２において、このような表示状態において、レーザポインタ４からのレーザ光７が検出されるか否かチェックする。これは、たとえば、位置検出部２３が、レーザ光検出部１２（センサモジュール）の光センサから電気信号が受信されたか否かにより行うことができる。
レーザ光７が表示画面上に照射され、その照射位置の光センサによってレーザ光が検出されると、電気信号が出力されるので、ステップＳ２において、電気信号があればステップＳ３へ進み、そうでない場合は、ステップＳ２を繰り返す。
出力された電気信号は、位置算出部２３と、受信情報取得部２４に与えられる。
【００８２】
ステップＳ３において、位置算出部２３が受信した電気信号を用いて、検出した光センサの表示画面に対する位置を算出する。
前記したように、マトリクス配置された光センサから出力される電気信号（Ｓｘ、Ｓｙ）を確認することにより、光センサの位置を算出する。算出した位置情報は、受信情報３６として、記憶部３０に記憶される。
【００８３】
ステップＳ４において、受信情報取得部２４が、受信した電気信号の成分を解析することにより、レーザ光に含められた識別情報等を取得する。
たとえば、受信した電気信号の中に、予め定義された識別情報４７に対応する信号パターンが存在する場合には、それを抽出し、受信情報３６として記憶部３６に記憶する。
また、所定の指示情報４８に対応する信号パターンがあれば、それを抽出し、受信情報３６として記憶部３０に記憶する。
【００８４】
ステップＳ５において、受信情報３６を用いて、利用者の認証処理を行う。ここでは、受光したレーザ光の中に、予め利用を許可した者の利用者の識別情報ＲＩＤ４７が含まれているか否か、チェックする。
具体的には、記憶部３０の利用者情報ＭＩＤ３４の中に、受信した識別情報ＲＩＤ４７が含まれているか、あるいは利用者情報ＭＩＤ３４と、受信した識別情報ＲＩＤ４７とが一致するか否か、チェックする。
【００８５】
一致した場合あるいは含まれている場合は、利用者認証が成功したことを意味し、ステップＳ６の判断において、ステップＳ７へ進む。
一方、一致しなかった場合、あるいは含まれていなかった場合、利用者認証に失敗したことを意味するので、ステップＳ９へ進む。
ステップＳ９では、利用者に、利用者認証に失敗したためこの装置を利用できないことなどを示すエラー表示を行い、ステップＳ２へ戻る。
【００８６】
ステップＳ７において、ファイル検索処理を行う。ここでは、ファイル検索部２６がステップＳ３で算出された位置情報に基づいて、その位置と対応付けられたファイルを認識し、そのファイルに関するファイル情報３１を記憶部３０から読み出す。
【００８７】
図７には示していないが、ファイル名ＦＮと、そのファイルのアイコンを表示する表示画面上の領域の座標データとを対にして予め記憶しておき、検出された光センサの位置座標が含まれる領域を見つけ出すことにより、位置情報と対応するファイルのファイル名ＦＮを認識することができる。
ファイル検索処理（ステップＳ７）により、図７に示すようなファイル情報３１（ＦＮ，ＦＩＤ，ＡＰＮ，ファイル内容）が読み出される。
【００８８】
ステップＳ８において、読み出されたファイル情報３１に基づいて、アプリケーションの起動等の処理が実行される。
たとえば、図７のファイル名ＦＮが「ＦＬ００２」の情報が読み出されたとすると、それに含まれるアプリ名ＡＰＮ（APR-bbb）に基づいて、対応するアプリケーションプログラム（APR-bbb）が起動させられる。
そして、そのアプリケーションプログラムによって、目的のファイル（ＦＬ００２）が開かれ、表示部の表示画面に表示させる。
以上の処理により、レーザポインタを用いた利用者の指示操作によって、所定の認証処理を行うとともに、所望のファイルの選択と表示処理が実行される。すなわち、利用者は表示画面を見たままの状態で、レーザポインタ４を指示操作するだけで、セキュリティを考慮して容易に利用者の意図したファイルを表示させることができる。
【００８９】
上記説明では、レーザ光を検出した後、利用者認証をしただけでファイルを開く処理をする実施例を説明したが、利用者による明確なアプリ実行指示入力があった場合にのみ、ファイルを開く処理を実行するようにしてもよい。これにより、開くべきファイルはまだ選択していないのに、利用者の認操作、たとえば単なるレーザ出力指示をしただけで、ファイルが開かれてしまうのを防止できる。
ここで、アプリ実行指示が入力されたとは、たとえば、レーザポインタ４の実行キーＫ１が押下げられたことにより、指示情報ＲＱＫ０１が受信されたことを意味する。
【００９０】
図１３に、実施例１において、利用者のアプリ実行指示入力を確認する場合のフローチャートを示す。
図１３において、図１２と同じステップには同じステップ番号を付与している。
図１３では、ステップＳ１１が追加される点のみが、図１２の処理と異なる。
ステップＳ１１において、アプリ実行指示入力があったか否か確認する。入力があったことが確認できた場合は、ステップＳ７，Ｓ８の処理を実行し、その入力が確認できない場合は、ステップＳ２へ戻る。
【００９１】
利用者が、レーザポインタ４の実行キーＫ１を押し下げた場合、これに対応する指示情報ＲＱＫ０１が読み出され、この指示情報４８を含めたレーザ光７が出力される。このレーザ光７が光センサで検出されると、受信された電気信号には、指示情報４８（ＲＱＫ０１）に対応する信号パターンが含まれているので、ステップＳ４において、受信情報取得部２４が、この信号パターンから指示情報４８（ＲＱＫ０１）を取得する。
【００９２】
そこで、ステップＳ１１では、取得された指示情報４８が、図８に示した情報の中に含まれているか否か確認する。受信した指示情報４８が、図８の情報の中のＲＱＫ０１と一致する場合は、アプリ実行指示があったと判断する。
以上のように、ステップＳ１１を設けることにより、利用者の明確な意思入力があった時のみ、ファイルを開くためのアプリ実行が行われるようになる。したがって、利用者の誤操作を防止でき、実行キーを入力する操作が必要となるが、明確な意思入力をすることによりかえって利用者の操作負担を軽減できる。
【００９３】
＜実施例２＞
ここでは、記憶部３に記憶されたファイル情報３１に、ファイルごとの認証情報ＦＩＤ３５が付与されている場合について説明する。
図７に示したように、ファイルに秘密情報が含まれている場合は、そのファイルを開くことのできる者を限定するために、ファイルごとに認証情報ＦＩＤ３５が付与される。たとえば、ファイル作成あるいは保存時に、そのファイルを作成した者のＩＤを入力してもらい、このＩＤを認証情報ＦＩＤ３５とするファイル情報３１を作成する。そして、ファイルを開く処理をしたときに、そのファイルの認証情報ＦＩＤ３５の入力を要求し、この情報ＦＩＤ３５と一致する入力がなければそのファイルを開けないようにする。
【００９４】
しかし、この要求された入力をその都度利用者が手入力していたのでは、利用者の負担が大きくスムーズな会議の進行がそこなわれるなどの問題がある。
そこで、この発明では、認証情報ＦＩＤ３５と一致する情報の入力は手入力では行わず、レーザ光に含まれて送られてくる識別情報ＲＩＤ４７とファイルごとに付与された認証情報ＦＩＤ３５との比較を行い、両者が一致した場合に、ファイル認証が成功し、正しい認証情報が入力されたものとみなす。
すなわち、実施例２では、ファイル認証処理を、利用者の手入力で行うのではなく、レーザ光に含まれて送られる識別情報ＲＩＤ４７を用いて、自動的に行う。
【００９５】
図１４に、この発明の実施例２の表示制御処理のフローチャートを示す。
図１２と同じ処理内容については、同じステップ番号を付与している。
図１４のフローチャートでは、ステップＳ２１でファイル認証処理を行い、ステップＳ２２で、ファイル認証が成功したか否かを判断する処理が、図１２のフローと異なる。
【００９６】
ステップＳ２１におけるファイル認証処理では、ステップＳ４で取得した受信情報の中の識別情報ＲＩＤ４７と、ファイル作成時等にすでに記憶されていたそのファイルのファイル情報３１の中の認証情報ＦＩＤ３５との比較を行う。この両情報（ＲＩＤとＦＩＤ）が一致した場合は、ファイル認証が成功し、そのファイルを開く処理をしてもよいと判断し、ステップＳ７へ進み、そのファイルを表示画面に表示させる処理をする。
一方、両情報（ＲＩＤとＦＩＤ）が一致しなかった場合はファイル認証に失敗したので、ステップＳ９へ進み、ファイルを開くことができない旨などのエラー表示を行う。
【００９７】
このようなファイル認証を行うことにより、ファイルごとに秘密情報の漏洩を防止して、よりセキュリティを高めることができる。
また、ファイル認証は、利用者による特別な手入力操作で行うのではなく、利用者がレーザポインタの操作を行った結果行われるので、利用者の操作負担を軽減でき、操作性を向上できる。また、会議等で表示画面に表示された資料を説明しているときに、レーザポインタの操作という一般的に行われる操作とともにファイル認証処理が行われるので、会議の進行を止めることなく、スムーズに行うことができる。
【００９８】
＜実施例３＞
上記実施例では、表示画面にファイルのアイコンを表示して、利用者がファイル操作をする場合について説明した。しかし、表示画面に表示するアイコンは、ファイルに対応するものに限るものではなく、この表示制御装置２に接続されたデバイスに対応するものでもよい。
デバイスとは、たとえば、ＬＡＮ等のネットワークを介して接続されたクライアントパソコン（ＰＣ）や、ＮＡＳ（Network Attached Storage），画像形成装置ＭＦＰ，プリンタなどの周辺機器をいう。
図１５に、デバイス情報の一実施例を示す。これは、ファイル情報３１に対応するものであり、複数のデバイス情報のうち、表示されたアイコンをレーザポインタで指示することにより選択されたデバイスのデバイス情報が読み出され、そのデバイス情報に対応するデバイスの起動，デバイスを操作するための設定画面や操作画面の表示などが行われる。
【００９９】
図１６に、表示画面にデバイスのアイコンを表示した実施例の説明図を示す。
図９に示したファイル操作と同様に、利用者がレーザポインタ４で、表示されたアイコンのうちいずれかのアイコンを選択操作することにより、所望のデバイスが選択される。
図１６では、パソコンＰＣ１が、レーザポインタ４によって選択された状態を示している。この実施例３のフローは、図１２から図１４のいずれかに示したものと同様のものを用いることができる。
すなわち、利用者がレーザポインタ４で、いずれかのデバイスのアイコンを指示する操作をすることにより、識別情報ＲＩＤ４７がレーザ光に含まれて送信されるので、利用者認証（ステップＳ５）が行われる。利用者認証に成功した場合にのみ、デバイスに対する以後の処理が実行される。
【０１００】
また、レーザ光にアプリ実行を意味する指示情報４８が含まれている場合は、選択されたデバイスに対する処理、たとえば、そのデバイスの操作画面を表示する処理を行う。たとえば、デバイスとしてパソコンやＮＡＳが指示された場合、パソコン等に記憶されているファイルやフォルダの情報を表示画面に表示し、さらに、レーザポインタを使ってその表示されたファイル等にアクセスできるような状態とする。
また、選択されたデバイスがＭＦＰの場合は、印刷指示などの設定画面を表示させ、さらにレーザポインタを使って印刷項目の詳細な設定が可能な状態とする。
以上のように、利用者は、表示画面を見たままの状態で、レーザポインタによる指示入力をするだけで、利用者認証と複数のデバイスに対する指示入力とを容易にすることができ、利用者の操作負担を軽減することができる。
【０１０１】
また、その他、表示されるアイコンに対応づけられる対象として、アプリケーションプログラムを用いることもできる。すなわち、利用者が利用する複数のアプリケーションプログラムが存在する場合、それらのアプリケーションプログラムに対応するアイコンを図９に示したように表示画面に表示し、利用者がレーザポインタ４で、いずれかの表示アイコンを指示入力操作することにより、起動すべきアプリケーションを選択してもよい。
また、アプリケーションプログラムごとに予め認証情報３５を設定しておくことにより、この認証情報３５に一致する識別情報ＲＩＤ４７を有する利用者のみが、アプリケーションプログラムを利用することができるようにすることができる。
この場合も、利用者は、レーザポインタ４による指示操作をするだけで、利用者認証処理と、アプリケーションプログラムの選択および起動処理とを、容易にすることができる。
【０１０２】
＜実施例４＞
ここでは、表示画面に表示されたファイル等の表示内容の中に重ねて、利用者がレーザポインタを用いて、文字や図形等の追加書込みをする実施例について説明する。
文字等の書込み指示のために、レーザポインタ４に備えられたキーＫ５，Ｋ６，Ｋ７を利用する。書込まれる文字等は、レーザポインタの照射位置に表示される複数の点画像の集まりとして表される。
たとえば、キーＫ５を押下げた場合、レーザ光７に、黒色ペンで文字等の書き込むことを意味する「黒色ペンモード切替指示」の指示情報４８（ＲＱＫ０５）を含めて、レーザ光を出力する。また、キーＫ６を押下げた場合、「赤色ペンモード切替指示」の指示情報４８（ＲＱＫ０６）を含めて、レーザ光を出力する。この黒色又は赤色のモード切替指示入力があったことを認識した場合、その後、レーザポインタ４で指示された表示画面の位置に黒色または赤色の点画像を表示する。表示画面にファイルなどがすでに表示されている場合は、点画像をそのファイルに合成して表示する。すなわち点画像を表示画面に追加表示する。
【０１０３】
さらにレーザポインタ４のスポットが移動されれば、その移動に伴って、すでに表示した点画像はそのままでさらに点画像を表示させる。すなわち、レーザポインタ４を移動した位置まで、複数の点画像からなる描画像（直線など）を表示させる。これにより、所望の文字や図形を、すでに表示されている映像に追加して表示させることができる。
また、キーＫ７を押下げた場合、それまでに描かれた点画像をすべて消去する。あるいは、現在レーザポインタ４で指示されている位置の点画像のみを消去するようにしてもよい。キーＫ７を押下げた場合は、レーザ光に、「ペンモード解除指示」の指示情報４８（ＲＱＫ０７）を含めて出力する。
【０１０４】
図１７に、実施例４のモード切替処理の一実施例のフローチャートを示す。
ここで、図１２に示したフローと同じ処理には同じステップ番号を付与している。ステップＳ３０からＳ３５の処理が、図１２と異なる処理である。
まず、ステップＳ３０において、表示画面に、ファイル等の画像を表示する。
ステップＳ３０は必須ではないが、すでに表示されている画像に対して文字等を書込む処理について説明するので、何らかの画像が表示されていることを示すために、ステップＳ３０を行う。たとえば、図９のファイルアイコンの表示画面において、レーザポインタを用いてアイコンが選択されたとすると、図１１に示すような画像が、表示画面に表示される。
【０１０５】
その後、利用者は、レーザポインタ４から出力されているレーザ光を、表示画面の所定の位置（ＰＴａ）へ移動させ、その所定の位置ＰＴａにレーザ光が照射されたとき、レーザポインタのモード切替キー（Ｋ５またはＫ６）を押下げたとする。すなわち、利用者は、所定の位置ＰＴａに点画像を表示するために、意図的に、書込み入力の指示入力（キーの押下）をしたとする。
【０１０６】
たとえば、指示入力部４３が、キーＫ５が押下げられたことを認識したとすると、キーＫ５に対応する指示情報４８がメモリ部４６から読み出される。ここでは、「黒色ペンモード切替指示（ＲＱＫ０５）」の指示情報４８が読み出される。
そして、情報合成部４２が、レーザ光７にこの指示情報４８（ＲＱＫ０５）を含めることを示す出力信号をレーザ出力部４１へ送る。レーザ出力部４１は、レーザ光に指示情報（ＲＱＫ０５）４８を重畳したようなレーザ光７を出力する。ただし、セキュリティ向上のために、指示情報４８だけでなく、図５（ｃ）に示すような電気信号が出力されるように、利用者の識別情報ＲＩＤ４７をレーザ光に含めることが好ましい。
【０１０７】
出力されたレーザ光７は、レーザ検出部１２によって検出される。この場合上記所定の位置ＰＴａに対応する位置にある光センサによって、識別情報４７と指示情報（ＲＱＫ０５）を含むレーザ光が検出され、対応する電気信号が、位置算出部２３と受信情報取得部２４へ送られる。
【０１０８】
このように、ステップＳ２において、レーザ光が検出されると、図１２などの処理と同様に、検出位置算出処理（ステップＳ３），受信情報取得処理（ステップＳ４），認証処理（ステップＳ５）を行う。
認証処理では、受信した識別情報ＲＩＤ４７と利用者情報ＭＩＤ３４とが一致するか否かチェックされ、ステップＳ６において、一致した場合に、利用者認証が成功したとみなし、ステップＳ３１へ進む。
利用者認証が失敗した場合は、ステップＳ９へ進み、利用者認証に失敗した旨を表示して、利用者に知らせる。
【０１０９】
ステップＳ３１において、受信情報取得部２４によって取得された指示情報４８が、黒色モード切替指示入力（ＲＱＫ０５）か否か、チェックする。
黒色モード切替指示（ＲＱＫ０５）が受信された場合、ステップＳ３２へ進み、黒色の点画像の表示を行う。
ここでは、検出位置算出処理で求められた上記所定の位置ＰＴａに、黒色の点画像を、すでに表示されている画像に合成させて、表示する。その後、ステップＳ２へ戻り、次の指示入力を待つ。
また、ステップＳ３３において、取得された指示情報４８が、赤色モード切替指示（ＲＱＫ０６）であると判断した場合は、ステップＳ３４へ進み、赤色の点画像の表示を行う。その後、ステップＳ２へ戻る。
【０１１０】
また、ステップＳ３３において、取得された指示情報４８が、ペンモード解除指示（ＲＱＫ０７）である場合は、ステップＳ３５へ進み、ペンモード解除処理を行う。
ペンモード解除処理では、たとえばすでに表示された点画像のうち、ステップＳ３で算出された所定の位置ＰＴａに表示された点画像のみを消去する。あるいは、すでに表示されていた点画像をすべて消去するようにしてもよい。また、キーＫ７がダブルクリックされ、ペンモード解除指示（ＲＱＫ０７）を所定時間内に連続して２回以上受信したとき、すべての点画像を消去するようにしてもよい。
【０１１１】
図１７のフローでは、説明のために、ステップＳ３１，Ｓ３３において、書込みに関する３つの指示情報４８のみの判定を行う場合を示したが、これに限るものではなく、ステップＳ３１において、すべての指示情報４８（ＲＱＫ０１〜０７）のいずれが受信されたかを判断し、以後受信したそれぞれの指示情報４８に対応した処理を行うようにしてもよい。
【０１１２】
また、レーザポインタ４のキーＫ０５を押したまま、レーザ光の照射位置を移動させた場合、レーザ光の軌跡に対応した位置に黒色点画像を表示させる。その後、キーＫ０５を押すのをやめた場合に、点画像の表示を中止させる。これにより、利用者は表示画面上にすでに表示されている画像に重ねて、文字，記号あるいは図形を表示させることができる。
あるいは、キーＫ０５を押したままにするのではなく、一度キーＫ０５を押した後は、レーザ光の移動軌跡どおりに黒色点画像を表示し、キーＫ０７が押された時に点画像の書込みを中止したと判断し、それ以後レーザ光が照射されていたとしても黒色点画像の表示をしないようにしてもよい。
【０１１３】
この実施例４において、レーザ光にキー入力操作に対応した指示情報と識別情報とを含めて出力しているので、レーザポインタ４に付属している特定のキー入力操作をするだけで、利用者認証に加えて、表示画面上への文字等の書込み処理を容易にすることができる。
なお、書込み処理をする場合は、最初に一度利用者認証処理（ステップＳ５，Ｓ６）をして認証に成功した場合は、その後の書込み処理では、点画像の表示ごとに毎回認証処理をするのではなく、ステップＳ５とＳ６の認証処理を省略してもよい。
【０１１４】
＜実施例５＞
ここでは、利用者がレーザポインタ４を保持したことを検出し、保持されていない状態から保持された状態に変化した場合に、ＩＣカードとレーザポインタとの間の通信を実行し、レーザポインタ４が、ＩＣカード５に記憶されている識別情報ＲＩＤを取得する実施例について説明する。
図２などに示した実施例では、ＩＣカード５をレーザポインタ４に近づけたときに、識別情報ＲＩＤ４７が、レーザポインタ４へ送信され、レーザポインタのメモリ部４６へ記憶される。その後、この記憶された識別情報ＲＩＤ４７がレーザ光７に含められて、認証処理が行われる。
しかし、ＩＣカードから識別情報ＲＩＤ４７を取得する機会を、ＩＣカードを近づけたときのみとすると、取得できない場合や誤った識別情報が取得される場合もあり得る。もし、誤った識別情報ＲＩＤ４７が取得されてしまった場合、その誤った識別情報ＲＩＤを用いて、意図しない認証処理が行われることになる。
【０１１５】
したがって、意図しない認証処理が成功した場合、本来レーザポインタの利用者が参照できないようなファイルが表示画面に表示されてしまうこともあり、十分な安全性が確保されない場合もある。そこで、できるだけＩＣカードから誤った識別情報ＲＩＤ４７が取得されないようにするために、識別情報ＲＩＤ４７を取得する機会を増やすことが好ましい。
識別情報ＲＩＤ４７を取得する機会として、ここでは、利用者がレーザポインタを保持したとき、すなわち利用者の手がレーザポインタに接触したときを利用する。すなわち、レーザポインタ４に、利用者がレーザポインタを保持したことの有無を検出する保持検出部を備える。そして、保持検出部が、利用者の手がレーザポインタに接触していないことを示す状態Ａから、レーザポインタに接触したことを示す状態Ｂに変化したことを検出した場合、通信部４５が、ＩＣカード５に対して、識別情報ＲＩＤ４７の送信要求を送信する。
【０１１６】
この送信要求を受信したＩＣカード５は、その記憶部５２に記憶されていた識別情報ＲＩＤを、レーザポインタ４に対して送信する。
保持検出部は、レーザポインタ４の筐体を形成する導電性の金属などの導電性材料と、導電性材料に接続された検出回路であって、導電性材料に人体の一部（たとえば手）が接触したときに、人体の周囲に存在する微弱電波を検出する検出回路とから構成される。
利用者がレーザポインタ４を手で持ち、外周表面の導電性材料に接触したとすると、人体周囲に存在する微弱電波が、人体の手を介して導電性材料に伝達される。その微弱電波は、導電性材料から検出回路に送られる。
検出回路では、微弱電波を増幅した後、増幅信号の大きさが一定時間以上予め定められたしきい値以上になっている場合は、利用者がレーザポインタ４を保持している状態Ｂであると判断する。
【０１１７】
逆に、上記一定の大きさの増幅信号が一定時間以上検出されなかったときは、レーザポインタ４は保持されていない状態Ａと判断できる。
このように、保持検出部によって、利用者によるレーザポインタの保持していない状態Ａから、保持状態Ｂに変化したことが検出されたときにも、ＩＣカードから識別情報ＲＩＤ４７を取得するようにすれば、この識別情報ＲＩＤを取得する機会が増加するので、誤った識別情報ＲＩＤが取得されることを減らすことができる。
したがって、誤った識別情報ＲＩＤが取得されるのを防止することにより、レーザポインタの利用者が本来参照することのできないファイルが表示されてしまうことを防止し、よりセキュリティを向上できる。
【０１１８】
＜実施例６＞
ここでは、ＩＣカードの識別情報ＲＩＤが取得できなかったことを、レーザポインタの利用者のみに知らせるために、レーザポインタに振動素子を設けた実施例について説明する。
ＩＣカードの識別情報ＲＩＤは、認証処理で利用される重要な情報であるので、確実にレーザポインタに送信される必要がある。
実施例５において、利用者がレーザポインタを手に持ったとき、識別情報ＲＩＤ４７がＩＣカードから取得されるが、もしＩＣカードとの通信が失敗し、レーザポインタが識別情報ＲＩＤを取得できなかった場合、利用者に、識別情報ＲＩＤが取得できなかったことを報知する必要がある。たとえば、ブザーを鳴らしたり、認識情報が取得できなかったので再入力してほしい旨を音声で利用者に報知することが考えられる。
【０１１９】
しかし、このような音による報知では、利用者以外の者、たとえば、会議への参加者にも報知してしまうことになり、会議の円滑な進行をさまたげることになる。したがって、会議の円滑な進行をさまたげないように、レーザポインタの利用者以外の者にはわからないような報知をすることが好ましい。
そこで、レーザポインタに振動素子を設ける。そして、通信部４５が、ＩＣカードとの通信により識別情報ＲＩＤが取得できなかった場合、振動素子を振動させて、レーザポインタの利用者のみに、識別情報４７の取得エラーを知らせる。
【０１２０】
振動素子の振動により、識別情報４７の取得エラーを知った利用者は、プレゼンテーションの説明を完全に中断してしまうことはなく、レーザポインタを手から離して一度机上等に置き、再度レーザポインタを握り直す。この操作により、実施例５で示したようなレーザポインタとＩＣカードとの通信が行われ、再度、識別情報ＲＩＤ４７の取得が行われる。
このような識別情報ＲＩＤ４７の再送により正常に識別情報ＲＩＤ４７が取得されれば、利用者は、大きな中断をすることなく以後のプレゼンテーションを円滑に進行することができる。
なお、振動素子としては、携帯電話等の情報機器で従来から用いられているものを利用すればよい。
【図面の簡単な説明】
【０１２１】
【図１】この発明の表示システムの一実施例の構成ブロック図である。
【図２】この発明の表示システムの一実施例の利用形態の説明図である。
【図３】この発明の表示装置のセンサモジュールの説明図である。
【図４】この発明の表示装置の構造の一実施例の説明図である。
【図５】この発明の光センサから出力される電気信号の一実施例の説明図である。
【図６】この発明のレーザポインタの一実施例の説明図である。
【図７】この発明のファイル情報等の一実施例の説明図である。
【図８】この発明で利用される指示情報の一実施例の説明図である。
【図９】この発明の表示画面に表示されるアイコンの一実施例の説明図である。
【図１０】この発明の表示画面に表示されるアイコンの一実施例の説明図である。
【図１１】この発明の表示画面に表示されるファイル内容の一実施例の説明図である。
【図１２】この発明の実施例１の表示制御処理の第１のフローチャートである。
【図１３】この発明の実施例１の表示制御処理の第２のフローチャートである。
【図１４】この発明の実施例２の表示制御処理のフローチャートである。
【図１５】この発明のデバイス情報の一実施例の説明図である。
【図１６】この発明の表示画面に表示されるアイコンの一実施例の説明図である。
【図１７】この発明の実施例４のモード切替処理のフローチャートである。
【符号の説明】
【０１２２】
１  表示装置
２  表示制御装置
４  レーザポインタ（光出射装置）
５  ＩＣカード
６  無線通信
７  レーザ光
１１  表示部
１２  レーザ検出部（センサモジュール）
２１  表示制御部
２２  出力情報生成部
２３  位置算出部
２４  受信情報取得部
２５  認証部
２６  ファイル検索部
２７  アプリ実行部
３０  記憶部
３１  ファイル情報
３２  表示データ
３３  アプリケーションプログラム
３４  利用者情報ＭＩＤ
３５  認証情報ＦＩＤ
３６  受信情報
４１  レーザ出力部
４２  情報合成部
４３  指示入力部
４４  情報抽出部
４５  通信部
４６  メモリ部
４７  識別情報ＲＩＤ
４８  指示情報
５１  カード通信部
５２  識別情報ＲＩＤ記憶部
【図１】
0004404924.tif 000002
【図２】
0004404924.tif 000003
【図３】
0004404924.tif 000004
【図４】
0004404924.tif 000005
【図５】
0004404924.tif 000006
【図６】
0004404924.tif 000007
【図７】
0004404924.tif 000008
【図８】
0004404924.tif 000009
【図９】
0004404924.tif 000010
【図１０】
0004404924.tif 000011
【図１１】
0004404924.tif 000012
【図１２】
0004404924.tif 000013
【図１３】
0004404924.tif 000014
【図１４】
0004404924.tif 000015
【図１５】
0004404924.tif 000016
【図１６】
0004404924.tif 000017
【図１７】
0004404924.tif 000018